(57)【要約】【課題】ロープのロックが無段階に行え、張設したロープに弛みが生じないと共に、ロープ巻き取りドラムによるロープ巻き取り速度を緩速にすることで、安全性を向上させることができる室内物干具を提供する。【解決手段】ゼンマイバネ８でロープ巻き取り方向の回転力が付勢されたドラム５に、ロープ巻き取り方向の回転速度を下げるため、ドラム５に一体回転するよう固定したオイルダンパー９の制動軸１３をドラム５の固定軸１０と回転不能に結合し、前記ドラム５から引き出したロープ４のクランプ機構６が、ツマミ２４の回動操作でロープ４のロックと解除を行うようになっている。【選択図】図２
2008119379.tif 000002
【特許請求の範囲】
【請求項１】
固定用基板に、固定軸で回転可能に取付けたロープ巻き取りドラムと、前記ドラムに巻回したロープを引き出し方向に誘導するロープクランプ機構とを設け、前記ドラムの内部に、このドラムにロープ巻き取り方向の回転力を付勢するゼンマイバネを組み込み、このドラムのロープ巻き取り方向の回転速度をオイルダンパーで減速し、前記ロープクランプ機構が、ツマミの回動操作でロープのロックと解除を行うようになっている室内物干具。
【請求項２】
上記オイルダンパーは、ドラムに一体回転するよう固定され、その制動軸が上記固定軸と回転不能に結合されている請求項１に記載の室内物干具。
【請求項３】
上記固定用基板は、垂直状態で前面にカバーケースを備え、上記ロープ巻き取りドラムが固定用基板の上部前面に水平の固定軸で取付けられ、上記ロープクランプ機構が固定用基板の下部前方位置に水平状態の配置となるよう取付け金具を用いて固定され、前記ロープ巻き取りドラムの外周とロープクランプ機構の間に、ロープ変向滑車を固定用基板に取付けて配置した請求項１又は２に記載の室内物干具。
【請求項４】
上記ロープクランプ機構が、軸方向に沿ってロープが貫通するよう取付け金具に水平状態で固定した内側テーパ筒体と、軸方向に貫通するロープに対して回転と軸方向の移動が可能な状態で内側テーパ筒体内に納まり、周壁に設けた複数の孔でボールを内外に移動可能に保持したボール保持筒と、このボール保持筒にボールが内側テーパ筒体のテーパ面に圧接してロープをロックする方向の移動弾性を付勢するスプリングと、前記内側テーパ筒体に回転と軸方向の移動が可能なように外嵌する状態で前記ボール保持筒と固定一体化されたツマミとを備え、前記テーパ筒体の外面に、軸方向直線部とその内端に連なる周方向の屈曲部からなる係止溝を形成し、前記ツマミの内面に、前記係止溝に嵌って移動可能となり、ツマミを押し込んで屈曲部に係止することによりボール保持筒をロック解除位置に保持する突軸を設けた請求項１乃至３の何れかに記載の室内物干具。
【発明の詳細な説明】
【技術分野】
【０００１】
この発明は、リビングや浴室等の室内の対向する壁面間にロープを掛け渡し、ハンガー等を介して洗濯物を掛け吊ることによって乾燥させるために用いる室内物干具に関する。
【背景技術】
【０００２】
上記のような室内物干具の一般的な構造は、対向する壁面の一方に固定するケースの内部に、ロープを巻回するロープ巻き取りドラムと、このロープ巻き取りドラムにロープ巻き取り方向の回転力を付与するゼンマイバネと、ロープ巻き取りドラムに巻回したロープをケースの前面から引き出せるようにする変向具を設けて構成され、変向具から前方に引き出したロープの先端係止部材を、対向する壁面に固定したソケットに係止することにより、壁面間にロープを張設するようになっている。
【０００３】
このような室内物干具においては、壁間に張設したロープが洗濯物の重量で弛むことのないように、引き出したロープが戻らないようにするロック機構を設ける必要がある。
【０００４】
従来のロック機構は、ロープ巻き取りドラムの外周にラチェット歯車を形成し、このラチェット歯車に係脱するラチェット爪をケースに取付け、ロープの引き出し後にラチェット爪をラチェット歯車に係合させ、ロープ巻き取りドラムをロープ引出し方向に回転不能とする構造になっている（例えば、特許文献１と２参照）。
【特許文献１】特開２０００−１４０４８７号公報
【特許文献２】特開２０００−２１８０９１号公報
【発明の開示】
【発明が解決しようとする課題】
【０００５】
ところで、ラチェット歯車とラチェット爪を用いたロック機構は、ロープの固定が爪車のピッチで有段的になり、その有段分だけ張設したロープに弛みが生じることになり、また、このようなロック機構を採用した従来の室内物干具は、ラチェット爪を解除位置にしたロープ巻き取り時に、ロープ巻き取りドラムはフリーとなるので、ゼンマイバネでロープ巻き取り方向の回転力が付与されたロープ巻き取りドラムは高速で回転し、このため、ロープの巻き取り速度が高速となり、勢いのついたロープが周囲に跳ねることによって怪我をするという危険性がある。
【０００６】
そこで、この発明の課題は、ロープのロックが無段階に行え、張設したロープに弛みが生じないと共に、ロープ巻き取りドラムによるロープ巻き取り速度を緩速にすることで、安全性を向上させることができる室内物干具を提供することにある。
【課題を解決するための手段】
【０００７】
上記のような課題を解決するため、この発明は、固定用基板に、固定軸で回転可能に取付けたロープ巻き取りドラムと、前記ドラムに巻回したロープを引き出し方向に誘導するロープクランプ機構とを設け、前記ドラムの内部に、このドラムにロープ巻き取り方向の回転力を付勢するゼンマイバネを組み込み、このドラムのロープ巻き取り方向の回転速度をオイルダンパーで減速し、前記ロープクランプ機構が、ツマミの回動操作でロープのロックと解除を行うようになっている構成を採用したものである。
【０００８】
上記オイルダンパーは、ドラムに一体回転するよう固定され、その制動軸が上記固定軸と回転不能に結合されているようになっている。
【０００９】
上記固定用基板は、垂直状態で前面にカバーケースを備え、上記ロープ巻き取りドラムが固定用基板の上部前面に水平の固定軸で取付けられ、上記ロープクランプ機構が固定用基板の下部前方位置に水平状態の配置となるよう取付け金具を用いて固定され、前記ロープ巻き取りドラムの外周とロープクランプ機構の間に、ロープ変向滑車を固定用基板に取付けて配置した構造とすることができる。
【００１０】
また、上記ロープクランプ機構が、軸方向に沿ってロープが貫通するよう取付け金具に水平状態で固定した内側テーパ筒体と、軸方向に貫通するロープに対して回転と軸方向の移動が可能な状態で内側テーパ筒体内に納まり、周壁に設けた複数の孔でボールを内外に移動可能に保持したボール保持筒と、このボール保持筒にボールが内側テーパ筒体のテーパ面に圧接してロープをロックする方向の移動弾性を付勢するスプリングと、前記内側テーパ筒体に回転と軸方向の移動が可能なように外嵌する状態で前記ボール保持筒と固定一体化されたツマミとを備え、前記テーパ筒体の外面に、軸方向直線部とその内端に連なる周方向の屈曲部からなる係止溝を形成し、前記ツマミの内面に、前記係止溝に嵌って移動可能となり、ツマミを押し込んで屈曲部に係止することによりボール保持筒をロック解除位置に保持する突軸を設けた構造としてもよい。
【００１１】
ここで、上記カバーケースは、壁面に固定する固定用基板の前面に固定されて内部中空に形成され、上記ロープクランプ機構がカバーケースの下部前面から外部に突出し、ツマミの回動と軸方向の移動操作が支障なく行えるようになっている。
【００１２】
上記オイルダンパーは、ダンパーケース本体の内部ロータを組み込むと共に、内部にシリコーンオイルを封入し、オイルの粘性抵抗により、一方方向への回転に対して制動力を生じるようにしたものであり、ダンパーケース本体をロープ巻き取りドラムの外面に同軸心の配置で固定し、ロータの制動軸を固定軸と結合することにより、ダンパーケース本体がロープ巻き取りドラムと一体に回転し、固定となるロータとの間で制動力を生じることで、ロープ巻き取りドラムのロープ巻き取り方向の回転速度を減速し、ロープの巻き取り速度を低速にする。
【００１３】
また、上記ロープクランプ機構は、ツマミを押し込んで突軸を屈曲部に係止することにより、ボール保持筒も押し込み位置となってボールがテーパ面から離れ、ボールがロック解除位置に保持され、ロープの移動が自由となり、また、ツマミを回動させて突軸の屈曲部に対する係止を解くと、スプリングの押圧弾性でツマミとボール保持筒がテーパ面側に移動し、テーパ面でボールが内側に集合することでロープを固持し、引き出したロープを弛まないようにする。
【発明の効果】
【００１４】
この発明によると、ゼンマイバネでロープ巻き取り方向回転が付勢されたロープ巻き取りドラムにオイルダンパーを結合し、オイルダンパーの制動軸を前記固定軸と回転不能に結合し、ロープ巻き取りドラムの回転速度を制動するようにしたので、ロープの巻き取り時にロープ巻き取りドラムのロープ巻き取り速度をオイルダンパーで緩速にすることができ、ロープが跳ねることによる怪我の危険性を無くし、室内物干具の安全性を向上させることができる。
【００１５】
また、オイルダンパーの採用は、ダンパーケース本体をロープ巻き取りドラムの外面に固定し、ロータの制動軸を固定軸と結合するだけでよいので、取付け構造が簡単で必要とする制動作用が確実に得られることになる。
【００１６】
更に、ロープクランプ機構によって引き出したロープを弛まないように固定することができると共に、テーパ面とボールの作用でロープを固持するので、ロープの固定が無段階に行え、引き出したロープに弛みが全く生じないようにでき、しかも、ロープクランプ機構はツマミの回動操作で、ロープのロック解除を保持することができるので、ロープの引出し操作が円滑に行えることになる。
【発明を実施するための最良の形態】
【００１７】
以下、この発明の実施の形態を図示例と共に説明する。
【００１８】
図１乃至図３のように、室内物干具１は、対向する壁面ＡとＢの一方に垂直状態で固定する固定用基板２の前面に内部中空の角形カバーケース３を設け、このカバーケース３内の固定用基板２に、ワイヤーを用いたロープ４の巻き取りドラム５と、前記ドラム５に巻回したロープ４を引き出し方向に誘導するロープクランプ機構６と、ドラム５とロープクランプ機構６の間に配置したロープ変向滑車７を取付け、前記ドラム５の内部にゼンマイバネ８を組み込むと共に、ドラム５の前面にオイルダンパー９が一体に固定されている。
【００１９】
上記ドラム５は、周囲にロープ４の巻き取り溝を有するリールに形成され、固定用基板２の前面に水平状態で突設した固定軸１０に回転可能に取付けられ、ロープ４は、一端の拡径端子４ａを巻胴に形成した溝に嵌め込むことにより、巻胴の周囲に巻き取られるようになっている。
【００２０】
上記ドラム５の内部に組み込んだゼンマイバネ８は、図２（ｂ）のように、内端８ａを固定軸１０のスリットに挿入して固定し、外端８ｂの折り返し部をドラム５の内周に設けた溝に嵌め込み、ドラム５にロープ巻き取り方向の回転を付与すると共に、ドラム６のロープ引出し方向への回転で、ドラム６にロープ巻き取り方向の回転力を付与する弾性を蓄積するようになっている。
【００２１】
上記オイルダンパー９は、ダンパーケース本体１１の内部にロータを組み込むと共にシリコーンオイルを封入し、オイルの粘性抵抗により、ダンパーケース本体１１に対するロータの一方方向への回転時に制動力が生じ、他方方向への回転には抵抗が生じないようにした周知の構造を有し、ドラム５の前面に突設した枠状取付け座１２にダンパーケース本体１１を嵌め込んでビス止めすることにより、ドラム５の外面に同軸心の配置で固定し、ダンパーケース本体１１から突出するロータと一体の制動軸１３を前記固定軸１０に、一方の端部に設けた溝と他方の扁平突軸を嵌め合わせることにより回転不能に結合し、ダンパーケース本体１１がドラム５と一体に回転し、ドラム５のロープ引出し方向への回転時は抵抗を生じないため負荷をかけず、ドラム５のロープ巻き取り方向への回転時は固定となるロータとの間で制動力を生じることで、ドラム５の回転速度を減速し、ロープ４の巻き取り速度を減速して低速にするようになっている。
【００２２】
上記ロープクランプ機構６は、固定用基板２の下部位置に水平状態の配置となるよう取付け金具１５を用いて固定され、カバーケース３の下部に設けた窓孔３ａから外部前方に突出する配置になっている。
【００２３】
このロープクランプ機構６は、図４乃至図６のように、内周の前側位置にテーパ面１６が設けられ、軸心に沿ってロープ４を移動可能に貫通させる内側テーパ筒体１７と、このテーパ筒体１７を固定用基板２に設けた取付け金具１５に固定するねじ継手１８及びナット部材１９と、軸方向に貫通するロープ４に対して回転と軸方向の移動が可能な状態で内側テーパ筒体１７内に納まり、周壁に設けた複数の孔２０で複数のボール２１を内外に移動可能に保持するボール保持筒２２と、内側テーパ筒体１７の内部に縮設され、このボール保持筒２２にボール２１が内側テーパ筒体１７のテーパ面１６に圧接してロープ４をロックする前方への移動弾性を付勢するスプリング２３と、前記内側テーパ筒体１７に回転と軸方向の移動が可能なように外嵌する状態で前記ボール保持筒２２と固定一体化されたツマミ２４とで構成されている。
【００２４】
上記取付け金具１５の前壁に設けた取付け孔１５ａを貫通させたねじ継手１８に、前面側から内側テーパ筒体１７と、背面側からナット部材１９をねじ込んで取付け金具１５の前壁を挟み、前記内側テーパ筒体１７を水平状態に固定配置し、前記テーパ筒体１７内に納まるボール保持筒２２は、軸方向に貫通するロープ４に対して回転と軸方向の移動が可能に外嵌し、内側テーパ筒体１７の前壁に設けた透孔１７ａから外部に突出する先端に、筒状で前端が閉鎖されたツマミ２４が固定され、ボール保持筒２２とツマミ２４は、軸方向の移動と回転が一体となるよう固定化されている。
【００２５】
上記内側テーパ筒体１７の外面に設けた係止溝２５が、前端から軸方向に沿った直線部２５ａとその途中に連なる周方向の屈曲部２５ｂからなり、前記ツマミ２４の内面に、前記係止溝２５に嵌って移動可能となり、ツマミ２４を押し込んで屈曲部２５ｂに係止することによりボール保持筒２２をロック解除位置に保持する突軸２６が設けられている。
【００２６】
なお、ロープクランプ機構６からカバーケース３の外部に引き出されたロープ４の先端には、先端係止部材２７が設けられ、これを対向する壁面Ｂに固定したソケット２８に係止することにより、壁面ＡとＢにロープ４を張設するようになっている。
【００２７】
この発明の室内物干具１は、上記のような構成であり、図３のように、リビングや浴室内の対向する壁面ＡとＢの一方に室内物干具１を固定すると共に、他方にソケット２８を固定し、この状態で、カバーケース３の前面下部に設けたロープクランプ機構６のツマミ２４を押し込み位置で回転させて突軸２６を係止溝２５の屈曲部２５ｂに係止させ、図４のように、ボール保持筒２２も押し込み位置となってボール２１がテーパ面１６から離れ、ボール保持筒２２をロック解除位置に保持することによってロープ４の引き出しを可能にする。
【００２８】
ロープクランプ機構６からロープ４を前方へ引き出すと、ドラム５はロープ引出し方向に回転してゼンマイバネ８が巻き締められ、このときオイルダンパー９には抵抗が生じないので、ロープ４の引出しは支障なく行え、引き出したロープ４の先端係止部材２７をソケット２８に係止することにより、壁面ＡとＢ間にロープが張設され、ロープ４にはゼンマイバネ８によりドラム５のロープ巻き取り力が加わっているので緊張状態になる。
【００２９】
この状態で、ロープクランプ機構６のツマミ２４を回転させ、突軸２６を屈曲部２５ｂから外して手を離すと、スプリング２３の力でボール保持筒２２とツマミ２４が前進動してボール２１がテーパ面１６に圧接し、図５のように、ボール２１がロープ４を複数箇所から押圧して固持することでクランプし、ロープ４の引き出しを不能にするロック状態となる。
【００３０】
従って、対向する壁面ＡとＢ間に張設された緊張状態のロープ４は、そのままの緊張状態で固定化され、かつ、引き出しを不能にクランプされているので、ロープ４に洗濯物を吊り下げてもロープ４の弛み発生を抑えることができ、重量のある洗濯物の吊り下げも可能になる。
【００３１】
また、張設したロープ４を格納するときは、ロープクランプ機構６のツマミ２４を押し込んで回転させ、図４のように、ボール保持筒２２をロック解除位置に保持してロープ４の移動をフリーにし、この状態で、先端係止部材２７をソケット２８から外せばよく、ロープ４の先端の固定が解かれるとドラム５が回転してロープ４を巻き取ることになり、最終的には、図２（a）のように、先端係止部材２７がロープクランプ機構６の前面に当接又は外嵌した状態となる。
【００３２】
ドラム５がロープ巻き取り方向に回転するとき、このドラム５に固定したオイルダンパー９の制動軸１３が固定軸１０と結合されているので、オイルダンパー９にドラム５の回転速度に比例した制動力が発生し、ドラム５は減速して低速回転し、このため、ロープ４は緩速でロープクランプ機構６からカバーケース３内に引き込まれてドラム５に巻き取られる。
【００３３】
このように、ロープ４の巻き取り速度を緩速にすると、移動するロープ４が勢いで跳ね上がるようなことがなく、跳ね上がったロープ４が当たって怪我をするというような事態の発生を防ぐことができ、安全性の向上が図れることになる。
【図面の簡単な説明】
【００３４】
【図１】この発明に係る室内物干具のカバーケースを外した斜視図
【図２】（ａ）は室内物干具のロープを格納した状態を示す縦断正面図、（ｂ）は（ａ）の矢印ｂ−ｂの縦断側面図
【図３】室内物干具のロープを引き出して張設した使用状態を示す縦断正面図
【図４】（ａ）は室内物干具のロープクランプ機構のロープロックの解除状態を示す拡大した縦断正面図、（ｂ）は（ａ）の矢印ｂ−ｂの縦断側面図
【図５】（ａ）は室内物干具のロープクランプ機構のロープロック状態を示す拡大した縦断正面図、（ｂ）は（ａ）の矢印ｂ−ｂの縦断側面図
【図６】室内物干具のロープクランプ機構を示す分解斜視図
【符号の説明】
【００３５】
１        室内物干具
２      固定用基板
３      カバーケース
４      ロープ
５      ドラム
６      ロープクランプ機構
７      ロープ変向滑車
８      ゼンマイバネ
９      オイルダンパー
１０    固定軸
１１    ダンパーケース本体
１２    枠状取付け座
１３    制動軸
１５    取付け金具
１６    テーパ面
１７    内側テーパ筒体
１８    ねじ継手
１９    ナット部材
２０    孔
２１    ボール
２２    ボール保持筒
２３    スプリング
２４    ツマミ
２５    係止溝
２６    突軸
２７    先端係止部材
２８    ソケット
【図１】
2008119379.tif 000003
【図２】
2008119379.tif 000004
【図３】
2008119379.tif 000005
【図４】
2008119379.tif 000006
【図５】
2008119379.tif 000007
【図６】
2008119379.tif 000008